(57)【要約】【課題】  静電気による電子部品の破壊が無く、照光可能な板バネ付シート、及びこの板バネ付シートを使用したスイッチ装置を提供する。【解決手段】  本発明の板バネ付シートは、可動接点を形成するための板バネ４と、この板バネ４を収納する絶縁シート１とを備え、絶縁シート１の一方の面には導電膜５が設けられ、絶縁シート１には、発光部材７からの光を透過する第１の透光部２ｄが設けられると共に、導電膜５には、第１の透光部２ｄに対向する第２の透光部５ａが設けられ、板バネ４は、絶縁シート１、或いは導電膜５に貼り付けられたため、この板バネ付シートがスイッチ装置に組み込まれた際、導電膜５を接地状態にすることができ、静電気が絶縁シート１側に飛び込んでも、静電気によって電子部品の破壊や誤動作を生じることが無い。【選択図】        図１
2005353412.tif 000002
【特許請求の範囲】
【請求項１】
押圧によって変形可能な可動接点を形成するための板バネと、この板バネを収納する絶縁シートとを備え、前記絶縁シートの一方の面には導電膜が設けられ、前記絶縁シートには、発光部材からの光を透過する第１の透光部が設けられると共に、前記導電膜には、前記発光部材からの光を透過し、前記第１の透光部に対向する第２の透光部が設けられ、前記板バネは、前記絶縁シート、或いは前記導電膜に貼り付けられたことを特徴とする板バネ付シート。
【請求項２】
前記導電膜は、導電材が前記絶縁シートに印刷、或いは導電箔が前記絶縁シートに接着されて形成されたことを特徴とする請求項１記載の板バネ付シート。
【請求項３】
前記導電膜の外周縁は、前記絶縁シートの外周縁よりも小さく形成されたことを特徴とする請求項１、又は２記載の板バネ付シート。
【請求項４】
前記第１，第２の透光部はそれぞれ貫通孔で形成され、前記第１の透光部を形成する前記貫通孔は、前記第２の透光部を形成する前記貫通孔よりも小さく形成されたことを特徴とする請求項１から３の何れかに記載の板バネ付シート。
【請求項５】
前記第２の透光部は貫通孔で形成され、前記絶縁シートは透光材で形成されると共に、前記第１の透光部は、前記第２の透光部である前記貫通孔に対向し、且つ、前記貫通孔を塞ぐ前記透光材で形成されたことを特徴とする請求項１から３の何れかに記載の板バネ付シート。
【請求項６】
前記絶縁シートは、前記板バネを貼り付けるための貼付シートで形成され、この貼付シートには、前記板バネの上面を覆って貼り付ける貼付部が設けられ、前記貼付部上には前記導電膜が設けられたことを特徴とする請求項４，又は５記載の板バネ付シート。
【請求項７】
前記絶縁シートは、前記板バネを貼り付けるための貼付シートで形成され、この貼付シートには、前記板バネの上面を覆って貼り付ける貼付部が設けられ、前記貼付部上には前記導電膜が削除されたことを特徴とする請求項４，又は５記載の板バネ付シート。
【請求項８】
前記絶縁シートは、前記貼付シートと、この貼付シートの他面側に貼り付けられたスペーサシートとで形成されたことを特徴とする請求項６，又は７記載の板バネ付シート。
【請求項９】
前記絶縁シートは、前記板バネを収容可能な凹部を有するスペーサシートで形成され、前記凹部を塞ぐように形成された前記導電膜には、前記板バネが貼り付けられたことを特徴とする請求項４，又は５記載の板バネ付シート。
【請求項１０】
請求項１から３の何れかに記載の板バネ付シートと、固定接点を設けた回路基板と、この回路基板に取り付けられた前記発光部材とを備え、前記絶縁シートは、前記第１の透光部が前記発光部材に対向し、且つ、前記可動接点である前記板バネが前記固定接点に対向した状態で、前記回路基板の一面側に積層されると共に、前記導電膜が接地された状態となし、前記板バネの押圧動作によって接点の切換を行うと共に、前記発光部材は、前記第１，第２の透光部を介して照光部材を照光するようにしたことを特徴とするスイッチ装置。
【請求項１１】
前記照光部材は、前記板バネを押圧する押圧部材で形成されると共に、前記導電膜に対向して配置され、前記押圧部材を取り付けるパネルと、前記導電膜に接触して接地するための接地片を有したことを特徴とする請求項１０記載のスイッチ装置。
【請求項１２】
前記第１，第２の透光部はそれぞれ貫通孔で形成され、前記第１の透光部を形成する前記貫通孔は、前記第２の透光部を形成する前記貫通孔よりも小さく形成されると共に、前記発光部材は、前記回路基板の前記一面側に取り付けられた、又は、前記回路基板に設けられた孔内に位置した状態で、前記回路基板の他面側に取り付けられたことを特徴とする請求項１０、又は１１記載のスイッチ装置。
【請求項１３】
前記第２の透光部は貫通孔で形成され、前記絶縁シートは透光材で形成されると共に、前記第１の透光部は、前記第２の透光部である前記貫通孔に対向し、且つ、前記貫通孔を塞ぐ前記透光材で形成され、前記発光部材は、前記回路基板の前記一面側に取り付けられた、又は、前記回路基板に設けられた孔内に位置した状態で、前記回路基板の他面側に取り付けられたことを特徴とする請求項１０、又は１１記載のスイッチ装置。
【請求項１４】
前記絶縁シートは、前記板バネを貼り付けるための貼付シートで形成され、この貼付シートには、前記板バネの上面を覆って貼り付ける貼付部が設けられ、前記貼付部上には前記導電膜が設けられると共に、前記貼付シートが前記回路基板の前記一面側に積層されたことを特徴とする請求項１２、又は１３記載のスイッチ装置。
【請求項１５】
前記絶縁シートは、前記板バネを貼り付けるための貼付シートで形成され、この貼付シートには、前記板バネの上面を覆って貼り付ける貼付部が設けられ、前記貼付部上には前記導電膜が削除されると共に、前記貼付シートが前記回路基板の前記一面側に積層されたことを特徴とする請求項１２、又は１３記載のスイッチ装置。
【請求項１６】
前記絶縁シートは、前記貼付シートと、この貼付シートの他面側に貼り付けられたスペーサシートとで形成され、前記スペーサシートが前記回路基板の前記一面側に積層されたことを特徴とする請求項１４、又は１５記載のスイッチ装置。
【請求項１７】
前記絶縁シートは、前記板バネを収容可能な凹部を有するスペーサシートで形成され、前記凹部を塞ぐように形成された前記導電膜には、前記板バネが貼り付けられ、前記スペーサシートが前記回路基板の前記一面側に積層されたことを特徴とする請求項１２、又は１３記載のスイッチ装置。
【発明の詳細な説明】
【技術分野】
【０００１】
本発明は携帯電話機等の電子機器に使用して好適な板バネ付シート、及びこの板バネ付シートを使用したスイッチ装置に関する。
【背景技術】
【０００２】
図９は従来の板バネ付シート、及びこの従来の板バネ付シートを使用した従来のスイッチ装置の要部断面図であり、次に、従来の板バネ付シートの構成を図９に基づいて説明すると、絶縁材からなる平板状の絶縁シート５１は、平板部５１ａと、この平板部５１ａに設けられた複数の凹部５１ｂと、平板部５１ａに繋がって、凹部５１ｂの位置にエンボス加工によって設けられた貼付部５１ｃを有する。
【０００３】
金属板からなり、押圧によって変形可能な可動接点を形成するための板バネ５２は、ドーム状をなすと共に、内部の中央部には、下方に突出する接点部５２ａが設けられ、この板バネ５２は、凹部５１ｂ内に位置した状態で、上面が絶縁シート５１の貼付部５１ｃの下面に設けられた粘着剤５３に貼り付けられて、絶縁シート５１に取り付けられている。
そして、従来の板バネ付シートＳは、絶縁シート５１と、この絶縁シート５１に貼り付けられた板バネ５２とで構成されている。（例えば、特許文献１参照）
【０００４】
次に、従来のスイッチ装置の構成を図９に基づいて説明すると、従来のスイッチ装置ＳＷは、上記の板バネ付シートＳと、固定接点５４ａ、５４ｂ、及び配線パターン（図示せず）上に搭載された電子部品（図示せず）を有する回路基板５５と、パネル５６と、このパネル５６に取り付けられ、可動接点である板バネ５２を押圧する押圧部材５７とで構成されている。
【０００５】
板バネ付シートＳの絶縁シート５１は、板バネ５２の外周部が固定接点５４ａに接触し、接点部５２ａが固定接点５４ｂに対向した状態で、回路基板５５上に積層され、回路基板５５に粘着剤５３によって貼り付けられると共に、押圧部材５７が貼付部５１ｃ上に配置されている。
【０００６】
そして、従来のスイッチ装置ＳＷは、押圧部材５７の押圧動作によって、貼付部５１ｃと板バネ５２が変形して、接点部５２ａが固定接点５４ｂに接触して接点の切換が行われ、また、押圧部材５７の押圧動作を解除すると、板バネ５２と貼付部５１ｃは、自己復帰により元の状態に戻って、接点部５２ａが固定接点５４ｂから離れて接点の切換が行われるようになっている。（例えば、特許文献１参照）
【０００７】
しかし、従来の板バネ付シートＳは、可動接点である板バネ５２を取り付ける絶縁シート５１が単に平板状の絶縁材で形成されているため、この絶縁シート５１がスイッチ装置ＳＷに組み込まれた際、静電気が押圧部材５７とパネル５６との間の隙間を通して絶縁シート５１側に飛び込んで、配線パターンや電子部品に伝搬されて、静電気によって電子部品が破壊され、誤動作を生じる。
【０００８】
また、板バネ付シートＳを使用した従来のスイッチ装置ＳＷは、可動接点である板バネ５２を取り付ける絶縁シート５１が単に平板状の絶縁材で形成されているため、静電気が押圧部材５７とパネル５６との間の隙間を通して絶縁シート５１側に飛び込んで、配線パターンや電子部品に伝搬されて、静電気によって電子部品が破壊され、誤動作を生じる。
【０００９】
【特許文献１】特開２００１−１６０３３４号公報
【発明の開示】
【発明が解決しようとする課題】
【００１０】
従来の板バネ付シートＳは、可動接点である板バネ５２を取り付ける絶縁シート５１が単に平板状の絶縁材で形成されているため、この絶縁シート５１がスイッチ装置ＳＷに組み込まれた際、静電気が押圧部材５７とパネル５６との間の隙間を通して絶縁シート５１側に飛び込んで、配線パターンや電子部品に伝搬されて、静電気によって電子部品が破壊され、誤動作を生じるという問題がある。
【００１１】
また、板バネ付シートＳを使用した従来のスイッチ装置ＳＷは、可動接点である板バネ５２を取り付ける絶縁シート５１が単に平板状の絶縁材で形成されているため、静電気が押圧部材５７とパネル５６との間の隙間を通して絶縁シート５１側に飛び込んで、配線パターンや電子部品に伝搬されて、静電気によって電子部品が破壊され、誤動作を生じる。
【００１２】
そこで、本発明は静電気による電子部品の破壊が無く、照光可能な板バネ付シート、及びこの板バネ付シートを使用したスイッチ装置を提供することを目的とする。
【課題を解決するための手段】
【００１３】
上記課題を解決するための第１の解決手段として、押圧によって変形可能な可動接点を形成するための板バネと、この板バネを収納する絶縁シートとを備え、前記絶縁シートの一方の面には導電膜が設けられ、前記絶縁シートには、発光部材からの光を透過する第１の透光部が設けられると共に、前記導電膜には、前記発光部材からの光を透過し、前記第１の透光部に対向する第２の透光部が設けられ、前記板バネは、前記絶縁シート、或いは前記導電膜に貼り付けられた構成とした。
【００１４】
また、第２の解決手段として、前記導電膜は、導電材が前記絶縁シートに印刷、或いは導電箔が前記絶縁シートに接着されて形成された構成とした。
また、第３の解決手段として、前記導電膜の外周縁は、前記絶縁シートの外周縁よりも小さく形成された構成とした。
【００１５】
また、第４の解決手段として、前記第１，第２の透光部はそれぞれ貫通孔で形成され、前記第１の透光部を形成する前記貫通孔は、前記第２の透光部を形成する前記貫通孔よりも小さく形成された構成とした。
また、第５の解決手段として、前記第２の透光部は貫通孔で形成され、前記絶縁シートは透光材で形成されると共に、前記第１の透光部は、前記第２の透光部である前記貫通孔に対向し、且つ、前記貫通孔を塞ぐ前記透光材で形成された構成とした。
【００１６】
また、第６の解決手段として、前記絶縁シートは、前記板バネの上面を覆って貼り付けるための貼付シートで形成され、この貼付シートには、前記板バネを貼り付ける貼付部が設けられ、前記貼付部上には前記導電膜が設けられた構成とした。
また、第７の解決手段として、前記絶縁シートは、前記板バネを貼り付けるための貼付シートで形成され、この貼付シートには、前記板バネの上面を覆って貼り付ける貼付部が設けられ、前記貼付部上には前記導電膜が削除された構成とした。
【００１７】
また、第８の解決手段として、前記絶縁シートは、前記貼付シートと、この貼付シートの他面側に貼り付けられたスペーサシートとで形成された構成とした。
また、第９の解決手段として、前記絶縁シートは、前記板バネを収容可能な凹部を有するスペーサシートで形成され、前記凹部を塞ぐように形成された前記導電膜には、前記板バネが貼り付けられた構成とした。
【００１８】
また、第１０の解決手段として、請求項１から３の何れかに記載の板バネ付シートと、固定接点を設けた回路基板と、この回路基板に取り付けられた前記発光部材とを備え、前記絶縁シートは、前記第１の透光部が前記発光部材に対向し、且つ、前記可動接点である前記板バネが前記固定接点に対向した状態で、前記回路基板の一面側に積層されると共に、前記導電膜が接地された状態となし、前記板バネの押圧動作によって接点の切換を行うと共に、前記発光部材は、前記第１，第２の透光部を介して照光部材を照光するようにした構成とした。
【００１９】
また、第１１の解決手段として、前記照光部材は、前記板バネを押圧する押圧部材で形成されると共に、前記導電膜に対向して配置され、前記押圧部材を取り付けるパネルと、前記導電膜に接触して接地するための接地片を有した構成とした。
【００２０】
また、第１２の解決手段として、前記第１，第２の透光部はそれぞれ貫通孔で形成され、前記第１の透光部を形成する前記貫通孔は、前記第２の透光部を形成する前記貫通孔よりも小さく形成されると共に、前記発光部材は、前記回路基板の前記一面側に取り付けられた、又は、前記回路基板に設けられた孔内に位置した状態で、前記回路基板の他面側に取り付けられた構成とした。
【００２１】
また、第１３の解決手段として、前記第２の透光部は貫通孔で形成され、前記絶縁シートは透光材で形成されると共に、前記第１の透光部は、前記第２の透光部である前記貫通孔に対向し、且つ、前記貫通孔を塞ぐ前記透光材で形成され、前記発光部材は、前記回路基板の前記一面側に取り付けられた、又は、前記回路基板に設けられた孔内に位置した状態で、前記回路基板の他面側に取り付けられた構成とした。
【００２２】
また、第１４の解決手段として、前記絶縁シートは、前記板バネを貼り付けるための貼付シートで形成され、この貼付シートには、前記板バネの上面を覆って貼り付ける貼付部が設けられ、前記貼付部上には前記導電膜が設けられると共に、前記貼付シートが前記回路基板の前記一面側に積層された構成とした。
【００２３】
また、第１５の解決手段として、前記絶縁シートは、前記板バネを貼り付けるための貼付シートで形成され、この貼付シートには、前記板バネの上面を覆って貼り付ける貼付部が設けられ、前記貼付部上には前記導電膜が削除されると共に、前記貼付シートが前記回路基板の前記一面側に積層された構成とした。
【００２４】
また、第１６の解決手段として、前記絶縁シートは、前記貼付シートと、この貼付シートの他面側に貼り付けられたスペーサシートとで形成され、前記スペーサシートが前記回路基板の前記一面側に積層された構成とした。
また、第１７の解決手段として、前記絶縁シートは、前記板バネを収容可能な凹部を有するスペーサシートで形成され、前記凹部を塞ぐように形成された前記導電膜には、前記板バネが貼り付けられ、前記スペーサシートが前記回路基板の前記一面側に積層された構成とした。
【発明の効果】
【００２５】
本発明の板バネ付シートは、押圧によって変形可能な可動接点を形成するための板バネと、この板バネを収納する絶縁シートとを備え、絶縁シートの一方の面には導電膜が設けられ、絶縁シートには、発光部材からの光を透過する第１の透光部が設けられると共に、導電膜には、発光部材からの光を透過し、第１の透光部に対向する第２の透光部が設けられ、板バネは、絶縁シート、或いは導電膜に貼り付けられたため、この板バネ付シートがスイッチ装置に組み込まれた際、導電膜を接地状態にすることができ、従って、静電気が押圧部材とパネルとの間の隙間を通して絶縁シート側に飛び込んでも、配線パターンや電子部品に伝搬されず、静電気によって電子部品の破壊や誤動作を生じることが無い。
また、絶縁シートと導電膜には、透光部が設けられているため、押圧部材の照光可能なものが得られる。
【００２６】
また、導電膜は、導電材が絶縁シートに印刷、或いは導電箔が絶縁シートに接着されて形成されたため、導電膜の形成が容易となって、生産性の良好なものが得られる。
【００２７】
また、導電膜の外周縁は、絶縁シートの外周縁よりも小さく形成されたため、板バネ付シートがスイッチ装置に組み込まれた際、導電膜と回路基板に設けられた配線パターンとの間の沿面距離を大きくできて、静電気による影響を少なくできる。
【００２８】
また、第１，第２の透光部はそれぞれ貫通孔で形成され、第１の透光部を形成する貫通孔は、第２の透光部を形成する貫通孔よりも小さく形成されたため、板バネ付シートがスイッチ装置に組み込まれた際、導電膜と回路基板に設けられた配線パターンとの間の沿面距離を大きくできて、静電気による影響が少なく、発光部材の破壊を少なくできる。
【００２９】
また、第２の透光部は貫通孔で形成され、絶縁シートは透光材で形成されると共に、第１の透光部は、第２の透光部である貫通孔に対向し、且つ、貫通孔を塞ぐ透光材で形成されたため、板バネ付シートがスイッチ装置に組み込まれた際、第１の透光部である透光材で、発光部材に位置する配線パターンを覆うようになって、静電気による影響が無く、発光部材の破壊を無くすることができる。
【００３０】
また、絶縁シートは、板バネを貼り付けるための貼付シートで形成され、この貼付シートには、板バネの上面を覆って貼り付ける貼付部が設けられ、貼付部上には導電膜が設けられたため、板バネ付シートがスイッチ装置に組み込まれた際、板バネが貼付部によって導電膜と遮断されて、静電気による影響を無くすることができる。
【００３１】
また、絶縁シートは、板バネを貼り付けるための貼付シートで形成され、この貼付シートには、板バネの上面を覆って貼り付ける貼付部が設けられ、貼付部上には導電膜が削除されたため、板バネ付シートがスイッチ装置に組み込まれた際、導電膜による板バネの変形（反転）動作の悪化を防止できると共に、板バネが貼付部によって導電膜と遮断されて、静電気による影響を無くすることができる。
【００３２】
また、絶縁シートは、貼付シートと、この貼付シートの他面側に貼り付けられたスペーサシートとで形成されたため、板バネ付シートがスイッチ装置に組み込まれた際、導電膜と回路基板に設けられた配線パターンとの間の沿面距離を一層大きくできて、静電気による影響を少なくできる。
【００３３】
また、絶縁シートは、板バネを収容可能な凹部を有するスペーサシートで形成され、凹部を塞ぐように形成された導電膜には、板バネが貼り付けられたため、板バネの変形（反転）動作を良好にできて、操作感触の良好なものが得られる。
【００３４】
また、本発明のスイッチ装置は、板バネ付シートと、固定接点を設けた回路基板と、この回路基板に取り付けられた発光部材とを備え、絶縁シートは、第１の透光部が発光部材に対向し、且つ、可動接点である板バネが固定接点に対向した状態で、回路基板の一面側に積層されると共に、導電膜が接地された状態となし、板バネの押圧動作によって接点の切換を行うと共に、発光部材は、第１，第２の透光部を介して照光部材を照光するようにしたため、接地状態となった導電膜によって、静電気が隙間を通して絶縁シート側に飛び込んでも、配線パターンや電子部品に伝搬されず、静電気によって電子部品の破壊や誤動作を生じることが無いばかりか、絶縁シートと導電膜には、透光部が設けられているため、照光部材の照光可能なものが得られる。
【００３５】
また、照光部材は、板バネを押圧する押圧部材で形成されると共に、導電膜に対向して配置され、押圧部材を取り付けるパネルと、導電膜に接触して接地するための接地片を有したため、静電気が押圧部材とパネルとの間の隙間を通して絶縁シート側に飛び込んでも、配線パターンや電子部品に伝搬されず、静電気によって電子部品の破壊や誤動作を生じることが無いばかりか、押圧部材の照光可能なものが得られる。
【００３６】
また、第１，第２の透光部はそれぞれ貫通孔で形成され、第１の透光部を形成する貫通孔は、第２の透光部を形成する貫通孔よりも小さく形成されると共に、発光部材は、回路基板の一面側に取り付けられた、又は、回路基板に設けられた孔内に位置した状態で、回路基板の他面側に取り付けられたため、導電膜と回路基板に設けられた配線パターンとの間の沿面距離を大きくできて、静電気による影響が少なく、発光部材の破壊を少なくできる。
【００３７】
また、第２の透光部は貫通孔で形成され、絶縁シートは透光材で形成されると共に、第１の透光部は、第２の透光部である貫通孔に対向し、且つ、貫通孔を塞ぐ透光材で形成され、発光部材は、回路基板の一面側に取り付けられた、又は、回路基板に設けられた孔内に位置した状態で、回路基板の他面側に取り付けられたため、第１の透光部である透光材で、発光部材に位置する配線パターンを覆うようになって、静電気による影響が無く、発光部材の破壊を無くすることができる。
【００３８】
また、絶縁シートは、板バネを貼り付けるための貼付シートで形成され、この貼付シートには、板バネの上面を覆って貼り付ける貼付部が設けられ、貼付部上には導電膜が設けられると共に、貼付シートが回路基板の一面側に積層されたため、板バネが貼付部によって導電膜と遮断されて、静電気による影響を無くすることができる。
【００３９】
また、絶縁シートは、板バネを貼り付けるための貼付シートで形成され、この貼付シートには、板バネの上面を覆って貼り付ける貼付部が設けられ、貼付部上には導電膜が削除されると共に、貼付シートが回路基板の一面側に積層されたため、導電膜による板バネの変形（反転）動作の悪化を防止できると共に、板バネが貼付部によって導電膜と遮断されて、静電気による影響を無くすることができる。
【００４０】
また、絶縁シートは、貼付シートと、この貼付シートの他面側に貼り付けられたスペーサシートとで形成され、スペーサシートが回路基板の一面側に積層されたため、導電膜と回路基板に設けられた配線パターンとの間の沿面距離を一層大きくできて、静電気による影響を少なくできる。
【００４１】
また、絶縁シートは、板バネを収容可能な凹部を有するスペーサシートで形成され、凹部を塞ぐように形成された導電膜には、板バネが貼り付けられ、スペーサシートが回路基板の一面側に積層されたため、板バネの変形（反転）動作を良好にできて、操作感触の良好なものが得られる。
【発明を実施するための最良の形態】
【００４２】
本発明の板バネ付シート、及びこの板バネ付シートを使用した本発明のスイッチ装置の図面を説明すると、図１は本発明の板バネ付シート、及びこの板バネ付シートを使用した本発明のスイッチ装置の第１実施例を示す要部断面図、図２は本発明の板バネ付シートの第１実施例を示す平面図、図３は本発明の板バネ付シート、及びこの板バネ付シートを使用した本発明のスイッチ装置の第２実施例を示す要部断面図、図４は本発明の板バネ付シートの第２実施例を示す平面図である。
【００４３】
また、第５図は本発明の板バネ付シート、及びこの板バネ付シートを使用した本発明のスイッチ装置の第３実施例を示す要部断面図、図６は本発明の板バネ付シート、及びこの板バネ付シートを使用した本発明のスイッチ装置の第４実施例を示す要部断面図、図７は本発明の板バネ付シート、及びこの板バネ付シートを使用した本発明のスイッチ装置の第５実施例を示す要部断面図、図８は本発明の板バネ付シート、及びこの板バネ付シートを使用した本発明のスイッチ装置の第６実施例を示す要部断面図である。
【００４４】
次に、本発明の板バネ付シートの第１実施例に係る構成を図１，図２に基づいて説明すると、絶縁材からなる絶縁シート１は、絶縁材からなる平板状の貼付シート２と、絶縁材からなる平板状のスペーサシート３とで形成されている。
この貼付シート２は、平板部２ａと、この平板部２ａに設けられた複数の収納部２ｂと、平板部２ａに繋がって、収納部２ｂの位置にエンボス加工によって設けられた貼付部２ｃと、平板部２ａの位置に設けられた貫通孔からなる第１の透光部２ｄを有する。
なお、この膨出部２ｃは、貼付シート２を板バネ４（後述する）の形状に倣って変形可能な柔軟なフイルム材料で形成した場合、必ずしもシートに前もって加工しておく必要はない。
【００４５】
また、スペーサシート３は、平板部３ａと、この平板部３ａに後述する板バネ４を収容可能に設けられた複数の貫通孔からなる凹部３ｂと、凹部３ｂ間を繋ぐ切り溝３ｃと、平板部３ａの位置に設けられた貫通孔からなる第１の透光部３ｄを有し、このスペーサシート３は、貼付シート２の下面（他面）に粘着剤（図示せず）によって貼り付けられて、絶縁シート１が形成されている。
また、スペーサシート３の下面にも粘着剤（図示せず）が塗布されている。
そして、貼付シート２とスペーサシート３が貼り合わされた時、貼付シート２の収納部２ｂとスペーサシート３の凹部３ｂが一致した状態になると共に、第１の透光部２ｄ、３ｄが一致した状態になる。
【００４６】
金属板からなり、押圧によって変形（反転）し、押圧力を解除すると自己復帰可能な可動接点を形成するための板バネ４は、ドーム状をなすと共に、内部の中央部には、下方に突出する接点部４ａが設けられ、この板バネ４は、収納部２ｂと凹部３ｂ内に位置した状態で、上面が貼付シート２の貼付部２ｃの下面（内面）に設けられた粘着剤（図示せず）に貼り付けられて、覆われるように貼付シート２に取り付けられている。
【００４７】
導電材からなる導電膜５は、貼付シート２の上面（一面）に設けられ、貫通孔からなる第２の透光部５ａを有し、この第２の透光部５ａは、第１の透光部２ｄ、３ｄよりも大きく形成され、第１の透光部２ｄの周りを囲むように配置されて、第２の透光部５ａ内には、第１の透光部２ｄ近傍の貼付シート２の表面が露出した状態となっている。
【００４８】
この導電膜５は、導電材が印刷され、或いはアルミ箔等からなる導電泊が接着されて形成されると共に、導電膜５の外周縁５ｂは、絶縁シート１を形成する貼付シート２とスペーサシート３の外周縁２ｅ、３ｅよりも小さく形成されて、貼付シート２の外周部の表面が露出した状態となっている。
そして、本発明の板バネ付シートＳ１は、貼付シート２とスペーサシート３からなる絶縁シート１と、この絶縁シート１に貼り付けられた板バネ４と、絶縁シート１に設けられた導電膜５とで構成されている。
なお、板バネ付シートを運搬したり保管する際、スペーサシート３の粘着剤が露出しないように、剥離コート処理したセパレータで粘着面を保護したシート体で構成することが好ましい。
その場合、板バネ４の接点面をも覆うようにすると、異物の付着を防止できる。
【００４９】
次に、本発明のスイッチ装置の第１実施例に係る構成を図１に基づいて説明すると、本発明の第１実施例に係るスイッチ装置ＳＷ１は、上記の板バネ付シートＳ１と、固定接点６ａ、６ｂ、及び配線パターン（図示せず）上に搭載されたＬＥＤ等の発光部材７を含む電子部品（図示せず）を有する回路基板８と、金属材や絶縁材からなるパネル９と、このパネル９に取り付けられ、可動接点である板バネ４を押圧する押圧部材で形成された照光部材１０と、導電膜５に接触する接地片１１とで構成されている。
【００５０】
そして、組立時にセパレータシート等の保護部材を剥離して、スペーサシート３の粘着面と板バネ４の接点面を露出させた板バネ付シートＳ１のスペーサシート３は、板バネ４の外周部が固定接点６ａに接触し、接点部４ａが固定接点６ｂに対向すると共に、第１の透光部２ｄ、３ｄに発光部材１０が位置した状態で、回路基板８上に積層され、回路基板８に粘着剤（図示せず）によって貼り付けられる。
また、回路基板８がパネル９内に配設された際、照光部材（押圧部材）１０が貼付部２ｃ上に配置されると共に、接地片１１が導電膜５に接触して、導電膜５が接地されるようになる。
【００５１】
そして、本発明のスイッチ装置ＳＷ１は、照光部材（押圧部材）１０の押圧動作によって、貼付部２ｃと板バネ４が変形して、接点部４ａが固定接点６ｂに接触して接点の切換が行われ、また、照光部材（押圧部材）１０の押圧動作を解除すると、板バネ４と貼付部２ｃは、自己復帰により元の状態に戻って、接点部４ａが固定接点６ｂから離れて接点の切換が行われるようになっている。
また、貼付部２ｃと板バネ４が変形した際、収納部２ｂと凹部３ｂ内に存在する空気は、切り溝３ｃを通して他の収納部２ｂと凹部３ｂに流出するようになって、切り溝３ｃが通気部となっている。
【００５２】
更に、発光部材７の光が第１の透光部２ｄ、３ｄと第２の透光部５ａを通して照光部材（押圧部材）１０に照射されて、照光部材（押圧部材）１０が照光されると共に、静電気がパネル９と照光部材（押圧部材）１０との間の隙間を通って貼付シート２側に飛び込んだ場合、導電膜５から接地片１１を介してアース（接地）に落とすようになっている。
【００５３】
また、図３，図４は本発明の板バネ付シート、及びこの板バネ付シートを使用した本発明のスイッチ装置の第２実施例を示し、この第２実施例における板バネ付シートＳ２とスイッチ装置ＳＷ２は、貼付シート２の貼付部２ｃ上の導電膜５が削除されたもので、その他の構成は前記第１実施例と同様であるので、同一部品に同一番号を付し、ここではその説明を省略する。
【００５４】
また、図５は本発明の板バネ付シート、及びこの板バネ付シートを使用した本発明のスイッチ装置の第３実施例を示し、この第３実施例における板バネ付シートＳ３とスイッチ装置ＳＷ３は、透光材からなる貼付シート２の第１の透光部２ｄが第２の透光部３ｄである貫通孔を塞ぐ透光材で形成され、この透光材からなる第１の透光部２ｄによって、発光部材７の上部が覆われたもので、その他の構成は前記第１実施例と同様であるので、同一部品に同一番号を付し、ここではその説明を省略する。
【００５５】
また、図６は本発明の板バネ付シート、及びこの板バネ付シートを使用した本発明のスイッチ装置の第４実施例を示し、この第４実施例における板バネ付シートＳ４とスイッチ装置ＳＷ４は、絶縁シート１が透光材からなる貼付シート２のみで形成されると共に、第１の透光部２ｄが第２の透光部３ｄである貫通孔を塞ぐ透光材で形成されている。
【００５６】
そして、貼付シート２の下面には、粘着剤（図示せず）が部分的に塗布されてドット状、或いはストライプ状に設けられ、この貼付シート２が回路基板８上に積層し、貼り付けられて、粘着剤の存在しない箇所が収納部２ｂの通気部となると共に、エンボス加工によって膨出した透光材からなる第１の透光部２ｄによって、発光部材７の上部が覆われたもので、その他の構成は前記第２実施例と同様であるので、同一部品に同一番号を付し、ここではその説明を省略する。
【００５７】
また、図７は本発明の板バネ付シート、及びこの板バネ付シートを使用した本発明のスイッチ装置の第５実施例を示し、この第５実施例における板バネ付シートＳ５とスイッチ装置ＳＷ５は、絶縁シート１が透光材からなる貼付シート２のみで形成されると共に、第１の透光部２ｄが第２の透光部３ｄである貫通孔を塞ぐ透光材で形成され、更に、回路基板８に設けられた孔８ａ内には、回路基板８の下面（他面）に取り付けられた発光部材７が配置されている。
【００５８】
そして、貼付シート２の下面には、粘着剤（図示せず）が部分的に塗布されてドット状、或いはストライプ状に設けられ、この貼付シート２が回路基板８上に積層し、貼り付けられて、粘着剤の存在しない箇所が収納部２ｂの通気部となると共に、透光材からなる第１の透光部２ｄによって孔８ａが塞がれて、発光部材７の上部が覆われたもので、その他の構成は前記第２実施例と同様であるので、同一部品に同一番号を付し、ここではその説明を省略する。
【００５９】
また、図８は本発明の板バネ付シート、及びこの板バネ付シートを使用した本発明のスイッチ装置の第６実施例を示し、この第６実施例における板バネ付シートＳ６とスイッチ装置ＳＷ６は、絶縁シート１がスペーサシート３のみで形成されると共に、導電膜５が凹部３ｂを塞ぐように形成されて、この凹部３ｂに位置する導電膜５には、板バネ４が粘着剤（図示せず）によって貼り付けられている。
【００６０】
そして、スペーサシート３が回路基板８上に積層し、貼り付けられて取り付けられ、板バネ４上の導電膜５の上部には、照光部材１０が位置した状態となったもので、その他の構成は前記第１実施例と同様であるので、同一部品に同一番号を付し、ここではその説明を省略する。
【００６１】
なお、この第６実施例の場合、板バネ４が常時接触する固定接点６ａは、接地された状態のものが好ましく、また、スペーサシート３は、透光材で形成されて、第１の透光部３ｄが発光部材７上部を透光材で覆うようにしても良い。
【図面の簡単な説明】
【００６２】
【図１】本発明の板バネ付シート、及びこの板バネ付シートを使用した本発明のスイッチ装置の第１実施例を示す要部断面図。
【図２】本発明の板バネ付シートの第１実施例を示す平面図。
【図３】本発明の板バネ付シート、及びこの板バネ付シートを使用した本発明のスイッチ装置の第２実施例を示す要部断面図。
【図４】本発明の板バネ付シートの第２実施例を示す平面図。
【図５】本発明の板バネ付シート、及びこの板バネ付シートを使用した本発明のスイッチ装置の第３実施例を示す要部断面図。
【図６】本発明の板バネ付シート、及びこの板バネ付シートを使用した本発明のスイッチ装置の第４実施例を示す要部断面図。
【図７】本発明の板バネ付シート、及びこの板バネ付シートを使用した本発明のスイッチ装置の第５実施例を示す要部断面図。
【図８】本発明の板バネ付シート、及びこの板バネ付シートを使用した本発明のスイッチ装置の第６実施例を示す要部断面図。
【図９】従来の板バネ付シート、及びこの板バネ付シートを使用した従来のスイッチ装置の要部断面図。
【符号の説明】
【００６３】
１：絶縁シート
２：貼付シート
２ａ：平板部
２ｂ：収納部
２ｃ：貼付部
２ｄ：第１の透光部
２ｅ：外周縁
３：スペーサシート
３ａ：平板部
３ｂ：凹部
３ｃ：切り溝
３ｄ：第１の透光部
３ｅ：外周縁
４：板バネ（可動接点）
４ａ：接点部
５：導電膜
５ａ：第２の透光部
５ｂ：外周縁
６ａ，６ｂ：固定接点
７：発光部材
８：回路基板
８ａ：孔
９：パネル
１０：照光部材（押圧部材）
１１：接地片
Ｓ１〜Ｓ６：板バネ付シート
ＳＷ１〜ＳＷ６：スイッチ装置
【図１】
2005353412.tif 000003
【図２】
2005353412.tif 000004
【図３】
2005353412.tif 000005
【図４】
2005353412.tif 000006
【図５】
2005353412.tif 000007
【図６】
2005353412.tif 000008
【図７】
2005353412.tif 000009
【図８】
2005353412.tif 000010
【図９】
2005353412.tif 000011